(57)【特許請求の範囲】
【請求項１】
口部と首部、肩部、胴部、底部を有する容器であって、前記胴部は、一対の幅広の側面と一対の幅狭の側面とを有しており、前記底部は、該底部の長軸に関して対称且つ内側に向かってＶ字状に屈曲した形状に形成されるとともに、底部の接地部稜線が該底部の長軸に対して平行に且つ長軸方向に直線になるように形成され、肩部は、一対の幅広の側面と一対の幅狭の側面とを有しており、該幅狭の側面には、長軸に関して対称且つ内側に向かってＶ字状に屈曲した形状の溝部が形成され、該溝部は肩部から首部隣接部分まで連続して形成されてなり、圧壊時には、底部及び肩部の屈曲部分に内側に折れ曲がるとともに、胴部の幅狭の側面が長軸に関して対称に外側に折れ曲がることを特徴とするプラスチック製ブロー成形輸液容器。
【請求項２】
底部および肩部の屈曲部分に、内側に折れ曲がる折れ目が設けられてなる、請求項１に記載の輸液容器。
【請求項３】
胴部の幅狭の側面に、長軸に関して対称に外側に折れ曲がる折れ目が設けられてなる、請求項１または２のいずれかに記載の輸液容器。
【発明の詳細な説明】
【技術分野】
【０００１】
本発明は、点滴治療等に使用される輸液やブドウ糖などを収容するプラスチック製ブロー成形輸液容器に関する。
【背景技術】
【０００２】
プラスチック製の輸液容器としては、従来、プラスチックシートから形成されるバッグタイプのものと、ブロー成形により形成されるプラスチック製のボトルタイプのものが知られている。
ボトルタイプの輸液容器は、輸液容器を直立させることができるという利点がある。しかしながら、このタイプの輸液容器は、ブロー成形により形成されるため、柔軟性に問題があり、従って、薬液の流出に際して容器が十分に圧潰しないため、かなりの量の薬液が残ってしまうという欠点を有している。そこで、従来、薬液を一定の流量で輸液するに当たり、例えば、容器口部の栓にエアー針を穿刺して容器の内外を連通させ、薬液の流出に合わせて空気が導入されるようにする方法や、残液を少なくするために、容器容量に比して控え目に薬液を充填し、空気などの気体の量を増やしておく方法が採用されている。
【０００３】
しかしながら、容器口部の栓にエアー針を穿刺する方法は、エアー針を穿刺する操作に手間がかかる上、有害な菌が混入する虞があり、問題である。また、空気などの気体の量を増やす方法は、空気を充填するスペースを確保する必要があり、その分容器が大きくなるという問題がある上、輸液ポンプを用いた場合、液切れセンサーの故障が原因で大量の空気を患者の血管内に注入する虞があり、問題である。
【０００４】
一方、バッグタイプの輸液容器は、口部を除いた部分が柔軟なプラスチックシートから形成されているため、エアー針を使用しなくても、薬液の流出に際して容器自体が容易に圧潰するため、残液が生じないという利点を有している。しかしながら、このタイプの輸液容器は、材質や形態の面から、直立させることができないという欠点を有しており、そのため輸液作業に際して不便である。
【０００５】
そこで、直立可能なボトルタイプの輸液容器について、エアー量および残液を少なくするために、容器を圧潰しやすくしたものが提案されている。胴部の幅広の側面の適当な位置に底面に対して平行な４本の溝を設けたもの（特許文献１）や、胴部の両側面中央を縦走し底部近傍から容器底部の両側両隅部に至る山折り線を設けると共に、更にこの山折り線の両側に谷折り線を設け、底部近傍の谷折り線を容器胴部の両側面及び前側面を通る底部に平行な谷折り線を設けて連通させたもの（特許文献２）等である。
しかしながら、特許文献１の輸液容器は、肩部および底部の圧潰が十分でなく、従って、注入されるエアーの量が多く不満の残るものであり、また、特許文献２の輸液容器についても、若干の改善は認められるものの、同様に肩部および底部、就中肩部の圧潰が十分でなく、従って注入されるエアーの量が多く不満の残るものであった。
【０００６】
【特許文献１】実公平６−１１４号公報
【特許文献２】特開２００２−２８２３３５号公報
【０００７】
そこで、本発明者らは、上記従来の輸液容器の問題点を解決する物として、自立可能で、点滴時にスムーズに圧潰し、残液量が少なく、廃液後に嵩張らず、廃液時の容積が小さいプラスチック製ブロー成形輸液容器をすでに提案している（特願２００６−２５９７９７号）。
しかしながら、上記の輸液容器は、高圧蒸気滅菌をした場合に容器を構成するプラスチックが硬化して、圧潰性が低下するので、バッグと比較したときには残液量が多くなることが判明した。
【発明の開示】
【発明が解決しようとする課題】
【０００８】
本発明は、如上の事情に鑑みてなされたもので、特願２００６−２５９７９７号の輸液容器を改良して、該滅菌後においても点滴時にスムーズに圧潰し、残液量がバッグ並みに少ないブロー成形輸液容器を提供することを目的とする。
【課題を解決するための手段】
【０００９】
本発明のプラスチック製ブロー成形輸液容器は、口部と首部、肩部、胴部、底部を有する容器であって、前記胴部は、一対の幅広の側面と一対の幅狭の側面とを有しており、前記底部は、この底部の長軸に関して対称且つ内側に向かってＶ字状に屈曲した形状に形成されるとともに、底部の接地部稜線が該底部の長軸に対して平行に且つ長軸方向に直線になるように形成されてなることを特徴とする。
【００１０】
ここで、肩部は、一対の幅広の側面と一対の幅狭の側面とを有しており、該幅狭の側面には、長軸に関して対称且つ内側に向かってＶ字状に屈曲した形状の溝部が形成されていてもよい。また、底部および肩部の屈曲部には、例えば加熱プレス成形により、内側に折れ曲がる折れ目が設けられていてもよい。
胴部の幅狭の側面には、例えば加熱プレス成形により、長軸に関して対称に外側に折れ曲がる折れ目が設けられていてもよい。
尚、折れ目は、例えばブロー成形金型の内部を陰圧にすることによっても形成することができる。また、本発明において内側とは容器の内部側を言い、外側とは容器の外部側を言う。
以上、一般的に本発明を記述したが、より一層の理解は、いくつかの特定の実施例を参照することによって得ることが出来る。これらの実施例は本明細書に例示の目的のためにのみ提供されるものであり、他の旨が特定されない限り、限定的なものではない。
【発明の効果】
【００１１】
本発明によれば、以下のような効果が期待できる。すなわち、本発明の輸液容器は、胴部が一対の幅広の側面と一対の幅狭の側面とを有するようにブロー成形されているので、幅広の側面に比して幅狭の側面が肉薄になり、胴部が短軸方向に圧潰しやすくなる。また、底部がその長軸に関して対称且つ内側に向かってＶ字状に屈曲した形状にブロー成形されているので、幅広の側面とＶ字状部分との間の屈曲部分が相対的に肉薄になり、液の排出により幅広の側面の内壁とＶ字状部分の内壁が密着し、底部の残液が殆ど無くなる。また、底部の接地部稜線がその底部の長軸に対して平行に且つ長軸方向に直線になるように形成されてなるように形成されているので、屈曲部分になる接地部稜線部分の応力の方向が同一方向になり、この部分の屈曲性が良くなる。その結果、デッドスペースが改善され、滅菌後においても底部の残液が殆ど無くなる。
【００１２】
また、肩部は、一対の幅広の側面と一対の幅狭の側面とを有しており、この幅狭の側面には、長軸に関して対称且つＶ字状に内側に向かって屈曲した溝部が形成されていてもよい。この場合、肩部の幅狭の側面と溝部との間の屈曲部分が相対的に肉薄になり、液の排出により幅広の側面の内壁とＶ字状部分の内壁が密着し、肩部の残液を大幅に減少させる。さらに、底部および肩部の屈曲部分に折れ目を設ければ、底部および肩部がより短軸方向に圧潰しやすくなる。また、胴部の幅狭の側面に長軸に関して対称に外側に折れ曲がる折れ目を設ければ、胴部がより短軸方向に圧潰しやすくなる。容器全体が圧潰しやすくなれば廃棄時の体積が小さくなるので、廃棄の際のコストを低減することができる。
【００１３】
残液を無くするためのエアー注入量は、従来のボトルでは、ボトルを圧潰したときの圧潰しない部分の容積によって決まるが、本発明の輸液容器は、底部がその長軸に関して対称且つ内側に向かってＶ字状に屈曲した形状に形成されており、また、更に肩部にＶ字状の溝部を設けることにより、液を排出したときに、胴部および肩部の幅広の側面がそれぞれ底部のＶ字状部分方向および肩部の溝部方向に移動して、Ｖ字状部分および溝部との間の空間を殆ど無くするので、エアー注入量を従来のものより大幅に少なくすることができる。
また、肩部に設けたＶ字状の溝部は、このＶ字状の溝部が殆ど圧潰しない首部に隣接する部分に嵌り込んで、デッドスペースになる首部隣接部分を埋める格好になるので、その分更にエアー注入量を少なくすることができる。
【発明を実施するための最良の形態】
【００１４】
底部は、この底部の長軸に関して対称且つ内側に向かってＶ字状に屈曲した形状に形成されるとともに、その接地部稜線が底部の長軸に対して平行になるように形成されている。肩部は、一対の幅広の側面と一対の幅狭の側面とを有しており、幅狭の側面は、長軸に関して対称且つ内側に向かってＶ字状に屈曲した形状に形成されている。また、底部および肩部の屈曲部分には折れ目が設けられている。また、幅狭の胴部には、長軸に関して対称に外側に折れ曲がる折れ目が設けられている。
【実施例１】
【００１５】
先ず、実施例１について図１〜図５を用いて説明する。
図１は、本発明の一実施態様例である実施例１の輸液容器１００を示す正面図であり、図２は図１の輸液容器の側面図、図３は図１の輸液容器のＡ−Ａ断面図、図４は図２の輸液容器のＢ−Ｂ断面図、図５は図１の輸液容器が圧潰した状態を示す模式図であり、図６は比較例１の輸液容器２００の正面図であり、図７は図６の輸液容器の側面図である。
実施例１の輸液容器１００は、図１〜図２に示すように、口部１と首部２、肩部３、胴部４、底部５を有するブロー成形容器であって、胴部４は、一対の幅広の側面４１、４１’と一対の幅狭の側面４２、４２’とを有しており、底部５は、この底部５の長軸Ｘに関して対称且つ内側に向かってＶ字状に屈曲した形状に形成され、その接地部稜線５２が底部の長軸Ｘに対して平行になるように、且つ長軸Ｘ方向に直線になるように形成されている。また、肩部３は、一対の幅広の側面３１、３１’と一対の幅狭の側面３２、３２’とを有しており、幅狭の側面３２、３２’には、長軸に関して対称且つ内側に向かってＶ字状に屈曲した溝部３３、３３’が形成されている。尚、ブロー成形の場合、通常、肩部３および胴部４の幅広の側面３１、４１は短軸Ｙに関して対称になっており、肩部３および胴部４の幅狭の側面３２、４２は長軸Ｘに関して対称になっている。また、符号６は輸液容器を吊すための吊り手段である。
【００１６】
実施例１の輸液容器は、上記の構成により、底部５のＶ字状部分５１と胴部４の幅広の側面４１、４１’との間の屈曲部分５３、５３’および、肩部３の溝部３３と肩部３の幅狭の側面３２との間の屈曲部分３４、３４’が、相対的に肉薄になり、また、容器の圧潰に際して屈曲部分５３、５３’の応力の方向が同一方向になる。従って、液の排出により容器が容易に圧潰し、胴部４および肩部３の幅広の側面４１、３１がそれぞれ底部５のＶ字状部分５１方向および肩部の溝部３３方向に移動して、Ｖ字状部分５１および溝部３３との間の空間を殆ど無くする。従って、デッドスペースが大幅に減少し、エアー注入量を従来のものより大幅に少なくすることができる。また、実施例１の輸液容器が図５の様に圧潰した際において、肩部４のＶ字状の溝部３３が圧潰しない首部に隣接する部分に嵌り込んで、デッドスペースになる首部隣接部分を埋める格好になるので、デッドスペースが更に少なくなる。
また、実施例１の輸液容器は、図３に示すように、Ｖ字状の凹部５５が幅狭の側面５４、５４’近傍において口部方向へ屈曲している。実施例１の輸液容器では、図３に示すように、一対の接地部稜線５２、５２’がＶ字状の凹部５５とそれぞれほぼ平行となるように形成されている。前記底部５は、図４に示すように、一対の幅広側面を切断する輸液容器の縦断面において、底部が容器長軸Ｚに対して対称的な形状に形成されている。
【００１７】
（試験例）
ＬＬＤＰＥ（プライムポリマー社製モアテック３５００Ｚ）とＬＤ（日本ポリエチレン社製ＬＭ３６０）を重量比８０：２０の割合でブレンドしたプラスチックを用いて、容量５５０ｍＬ、重量１３．７ｇ、最低肉厚０．１６ｍｍを仕様とする表１に示すようなブローボトルを各３個作成し、それぞれに生食５２０ｍＬ、エアー３０ｍＬを充填し、打栓後１０８℃×３０分で高圧蒸気滅菌した後、シリンジを用いてボトル内部のエアーを抜き、輸液セット（ニプロ社製、ＩＳＡ−３００Ａ００、静脈針１８Ｇ）を接続して自然落下による排液（容器のポートから静脈針までの落差８０ｃｍ）を行った。排液後、各ボトル内の残液量を５０ｍＬシリンジで測定したところ、表２のような結果が得られた。
表２から、実施例１のボトル１００において、滅菌を行うことにより、排液性が３０％前後低下しているものの、残液量は２８．６ｍｇであり、比較例１のボトル２００の場合（残液量４２．３ｍＬ）より大幅に残液量が改善されている。従って、特に底部の接地部稜線を、その底部の長軸に対して平行になるように形成することにより、残液量を大幅に減少させることができることが判る。
【００１８】
【表１】
0004867849.tif 000002
【００１９】
【表２】
0004867849.tif 000003
【図面の簡単な説明】
【００２０】
【図１】実施例１の輸液容器を示す正面図である。
【図２】図１の輸液容器の側面図である。
【図３】図１の輸液容器のＡ−Ａ断面図である。
【図４】図２の輸液容器のＢ−Ｂ断面図である。
【図５】図１の輸液容器が圧潰した状態を示す模式図である。
【図６】比較例１の輸液容器の正面図である。
【図７】図６の輸液容器の側面図である。
【符号の説明】
【００２１】
１              口部
２              首部
３              肩部
３１、３１’    幅広の側面
３２、３２’    幅狭の側面
３３、３３’    溝部
３４            屈曲部分
４              胴部
４１、４１’    幅広の側面
４２、４２’    幅狭の側面
５              底部
５１            Ｖ字状部分
５２、５２’    接地部稜線
５３、５３’    屈曲部分
５４、５４’    底部の幅狭側面
１００            実施例１の輸液容器
２００            比較例の輸液容器  
２０５            底部
２５２、２５２’  接地部稜線
【図１】
0004867849.tif 000004
【図２】
0004867849.tif 000005
【図３】
0004867849.tif 000006
【図４】
0004867849.tif 000007
【図５】
0004867849.tif 000008
【図６】
0004867849.tif 000009
【図７】
0004867849.tif 000010